(57)【特許請求の範囲】
【請求項１】
水蒸気の水成分と熱を利用した被処理物の水熱処理方法であって、
中空の処理釜に、前記被処理物を投入する工程と、
水蒸気を加熱および加圧した上で前記処理釜の内部に圧送しつつ、前記投入済みの被処理物を前記水蒸気が導入済みの前記処理釜内で攪拌して水熱処理する工程と、
前記被処理物の酸化の誘因となり得る薬剤たる過酸化水素水の前記水熱処理の開始後における導入タイミングを、前記処理釜の内部の温度を計測する温度センサーの計測した釜内温度に基づいて決定し、該決定した導入タイミングで前記薬剤を前記処理釜の内部に導入する化合物導入工程と、
前記処理釜に貯まった液体成分が嫌気状態に推移したと予想されるタイミングを、前記温度センサーの計測した釜内温度に基づいて決定し、該決定したタイミングで前記液体成分の中に酸素ガスを噴出するガス噴出工程とを備える
水熱処理方法。
【請求項２】
請求項１に記載の水熱処理方法であって、
前記薬剤を、前記水熱処理の開始前に前記処理釜に初期導入する化合物初期導入工程を備え、
前記化合物初期導入工程は、該工程のスキップの選択が可能とされ、前記被処理物が芳香族化合物や抗生物質のように分解しがたい難分解性物質を含有しない場合には、スキップ選択される
水熱処理方法。
【請求項３】
請求項１または請求項２に記載の水熱処理方法であって、
前記水熱処理を受けた処理完了物を前記処理釜から回収する際に、前記処理完了物に好気状態や酸素過多で発酵を活性化させる菌を付着する工程を有する
水熱処理方法。
【請求項４】
水蒸気の水成分と熱を利用して被処理物を水熱処理する酸化型亜臨界処理装置であって、
前記被処理物の投入口を有する中空の処理釜と、
水蒸気を加熱および加圧した上で前記処理釜の内部に圧送しつつ、投入済みの被処理物を前記水蒸気が導入済みの前記処理釜で攪拌して水熱処理する水熱処理手段と、
前記被処理物の酸化の誘因となり得る薬剤たる過酸化水素水の前記水熱処理の開始後における導入タイミングを、前記処理釜の内部の温度を計測する温度センサーの計測した釜内温度に基づいて決定し、該決定した導入タイミングで前記薬剤を前記処理釜の内部に導入する化合物導入手段と、
前記処理釜に貯まった液体成分が嫌気状態に推移したと予想されるタイミングを、前記温度センサーの計測した釜内温度に基づいて決定し、該決定したタイミングで前記液体成分の中に酸素ガスを噴出するガス噴出手段とを備える
酸化型亜臨界処理装置。
【発明の詳細な説明】
【技術分野】
【０００１】
本発明は、食品残渣、木くず、紙くず、生ゴミ、食料残飯の他、プラスチック容器弁当やビニール包装オニギリの残飯等の被処理物を水蒸気の水成分と熱にて処理する水熱処理に関する。
【背景技術】
【０００２】
近年、環境保全や資源循環に対する意識が高まり、被処理物の焼却処理といった既存の処理手法に変わる水熱処理手法が種々提案されている（例えば、特許文献１）。この特許文献では、食品残渣、木くず、紙くず、生ゴミ、食料残飯等の一般廃棄物を被処理物とし、これを水蒸気の水成分と熱にて水熱処理して飼料や堆肥を製造している。
【先行技術文献】
【特許文献】
【０００３】
【特許文献１】特開２００８−５５２８５号公報
【発明の概要】
【発明が解決しようとする課題】
【０００４】
特許文献１は、水蒸気の水成分と水蒸気の熱にて被処理物を水熱処理するに当たり、その水熱処理に先だって加圧エアーを処理釜に導入して、処理釜内を予め高圧環境としておき、水熱処理の処理環境の高圧化を図っている。ところで、被処理物は多種多様であって、食品残渣等の他、芳香族化合物や抗生物質等の難分解性物質を含むことも多い。こうした難分解性物質は、水蒸気の水成分と熱を利用した一種の熱分解反応である水熱処理にて分解できるものの、その分解に長時間を要するという問題点が指摘されるに到った。通常、水熱処理はある程度の期間に亘る処理（水熱処理）が必要ないわゆるバッチ処理であることから、バッチ処理ごとの処理能力向上の上から処理釜の大型化も求められている。しかしながら、釜の大型化に伴って被処理物が増える分、被処理物に含まれる難分解性物質も多くなり、水熱処理に要する処理期間がより長くなることが予想される。
【０００５】
本発明は、処理釜における水蒸気の水成分と熱を利用した水熱処理を行うに際しての上記問題点を解決するためになされ、水熱処理の処理期間の短縮化を図ることをその目的とする。
【課題を解決するための手段】
【０００６】
上記した目的の少なくとも一部を達成するために、本発明では、以下の構成を採用した。
水蒸気の水成分と熱を利用した被処理物の水熱処理方法であって、
中空の処理釜に、前記被処理物を投入する工程と、
水蒸気を加熱および加圧した上で前記処理釜の内部に圧送しつつ、前記投入済みの被処理物を前記水蒸気が導入済みの前記処理釜内で攪拌して水熱処理する工程と、
前記被処理物の酸化の誘因となり得る薬剤たる過酸化水素水の前記水熱処理の開始後における導入タイミングを、前記処理釜の内部の温度を計測する温度センサーの計測した釜内温度に基づいて決定し、該決定した導入タイミングで前記薬剤を前記処理釜の内部に導入する化合物導入工程と、
前記処理釜に貯まった液体成分が嫌気状態に推移したと予想されるタイミングを、前記温度センサーの計測した釜内温度に基づいて決定し、該決定したタイミングで前記液体成分の中に酸素ガスを噴出するガス噴出工程とを備える。
【０００７】
[適用１：水熱処理方法]
水蒸気の水成分と熱を利用した被処理物の水熱処理方法であって、
中空の処理釜に、前記被処理物を投入する工程と、
水蒸気を加熱および加圧した上で前記処理釜の内部に圧送しつつ、前記投入済みの被処理物を前記水蒸気が導入済みの前記処理釜内で攪拌して水熱処理する工程と、
該水熱処理に際して、前記処理釜の内部に、酸化の誘因となり得る薬剤を導入する化合物導入工程とを備える
ことをその要旨とする。
【０００８】
[適用２：水熱処理を図る酸化型亜臨界処理装置]
水蒸気の水成分と熱を利用して被処理物を水熱処理する酸化型亜臨界処理装置であって、
前記被処理物の投入口を有する中空の処理釜と、
水蒸気を加熱および加圧した上で前記処理釜の内部に圧送しつつ、投入済みの被処理物を前記水蒸気が導入済みの前記処理釜で攪拌して水熱処理する水熱処理手段と、
前記処理釜の内圧低下を抑制した上で、前記処理釜の内部に、酸化の誘因となり得る薬剤を導入する化合物導入手段とを備える
ことをその要旨とする。
【０００９】
上記した構成を備える水熱処理方法と水熱処理を図る酸化型亜臨界処理装置では、中空の処理釜に、被処理物を投入口から投入し、この処理釜の内部に、水蒸気を加熱および加圧した上で圧送しつつ、投入済みの被処理物を水蒸気導入済みの処理釜で攪拌して水熱処理に処する。つまり、被処理物は、処理釜の内部で攪拌されつつ、その攪拌の過程で加熱・加圧済みの水蒸気に満遍なく触れ、水蒸気の持つ熱と水成分とが被処理物の水熱処理に利用され、水熱処理は進行する。
【００１０】
こうした水熱処理に際して、上記した構成の水熱処理方法と酸化型亜臨界処理装置では、酸化の誘因となり得る薬剤を処理釜の内部に導入するので、処理釜内の被処理物は、この薬剤の存在下で水熱処理に処されることになる。よって、被処理物は、水蒸気の水成分と熱を利用した水熱処理に伴う分解に加え、薬剤が誘因となって起こる酸化分解をも受けることになり、その分解が促進される。この結果、上記した構成の水熱処理方法とその装置によれば、水熱処理の処理期間を短縮化できる。また、芳香族化合物や抗生物質等の難分解性物質についてもその分解を図ることができるので、水熱処理の対象物が多様化し、汎用性も高まる。
【００１１】
そして、処理釜の内部への薬剤の導入を、処理釜の内圧低下を抑制した上で行うようにすれば、次の利点がある。水熱処理は、その導入される水蒸気の圧力と熱により高温高圧下で進行するが、薬剤の導入の際に処理釜の内圧低下が抑制されることから、薬剤の導入に際して、内圧低下に伴う水熱処理の進行阻害を招かないようにできる。このため、水熱処理の処理期間の短縮化に有益となる。
【００１２】
処理釜の内部に導入する薬剤としては、過酸化水素水等が好適である。こうした薬剤は、ラジカルな水酸基を含むことから、被処理物の酸化の誘因となる。
【００１３】
以上説明した構成を有する酸化型亜臨界処理装置は、次のような態様を採ることもできる。例えば、処理釜の内部の温度を計測する温度センサーの計測した釜内温度に基づいて、水熱処理の継続期間における薬剤の導入タイミングを決定するようにできる。水熱処理の進行状況は、投入された被処理物の種類や投入量に依存すると共に、その処理の進行状況は、釜内温度で推測が可能である。よって、上記態様によれば、釜内温度により水熱処理が緩慢と予想されるタイミングで薬剤を導入して処理の活性化を図ったり、水熱処理がほぼ平衡化していると予想されるタイミングで薬剤を導入して処理の活性化をより高めたりできる。このため、水熱処理の処理期間の短縮化の実効性を高めることができる。
【００１４】
また、前記投入口に繋がる投入経路に、前記処理釜の側の第１バルブと、該バルブから離間した第２バルブを備えた上で、次のようにして薬剤を導入するようにできる。まず、前記薬剤の導入に際して、閉弁済みの前記第１バルブと前記第２バルブとの間のバルブ間経路に前記第２バルブを経て前記薬剤を導入する。こうして導入された薬剤は、閉弁状態の第１バルブと第２バルブとの間のバルブ間経路に貯まる。このため、バルブ間経路の薬剤は、前記第２バルブの閉弁制御に続く前記第１バルブの開弁制御により、処理釜内の水蒸気がこのバルブ間経路に高温高圧で入り込むことで、その水蒸気に拡散し、処理釜内の被処理物に触れることになる。こうすれば、処理釜の内圧低下を抑制した上で、処理釜の内部に薬剤を確実に導入できるので、それまでの水熱処理の処理効率を維持したまま、水熱処理に伴う分解に加え、被処理物を薬剤による酸化分解に処することができる。よって、水熱処理の処理期間の短縮化の実効性をより一層高めることができる。しかも、被処理物の投入口に繋がる投入経路を、被処理物の投入と薬剤の導入とに共用できることから、薬剤の導入に特化した経路が不要となり、構成の簡略化、延いてはコスト低減に寄与できる。
【００１５】
また、前記水熱処理の処理期間において、前記水熱処理により前記処理釜に貯まった液体成分中に、酸素ガスまたは酸素含有ガスの加圧導入を図るようにできる。こうすれば、水熱処理や酸化処理の進行に伴い処理釜の液体成分が液中の酸素が不足して嫌気状態となっても、上記各処理の進行に伴い不足した酸素をこうした処理が進行している液体成分に直接補給して、液体成分を好気状態とできる。また、固形成分にあってもその物理的な隙間に酸素が入り込んだ酸素過多とできる。よって、被処理物の酸化分解の促進により、水熱処理の処理期間の短縮化をより高い実効性で達成できる。なお、処理釜内は高温高圧の水蒸気の充満環境であることから、上記したように好気状態の液体成分や酸素過多の固形成分は、処理完了後において、処理釜からほぼ無菌の状態で回収される。このため、処理釜からの回収後において、好気状態の液体成分や酸素過多の固形成分への菌（好気状態や酸素過多で発酵を活性化させる菌）の付着により、回収後の発酵分解の促進を期待でき、これによっても被処理物（詳しくは、回収後の液体・固形成分）の分解を進めることが可能となる。
【図面の簡単な説明】
【００１６】
【図１】本発明の実施例である酸化型亜臨界処理装置１００の概略構成を示すブロック図である。
【図２】この水熱処理プロセスの工程を表す工程図である。
【図３】薬剤の継続導入処理を示すフローチャートである。
【図４】薬剤の継続投入の様子を説明するための説明図である。
【図５】酸素ガス補給処理を示すフローチャートである。
【発明を実施するための形態】
【００１７】
次に、本発明の実施の形態を実施例に基づき説明する。図１は本発明の実施例である酸化型亜臨界処理装置１００の概略構成を示すブロック図である。
【００１８】
図示するように、本実施例の酸化型亜臨界処理装置１００は、水蒸気の水成分と熱を利用して被処理物を水熱処理する水熱処理装置であり、処理釜１１０と、廃棄物投入系１２０と、処理物排出系１３０と、水蒸気供給系１４０と、酸素供給系１５０と、制御装置２００とを備える。処理釜１１０は、本実施例における被処理物たる食品残渣等の一般廃棄物やプラスチック含有残飯、或いは芳香族化合物、洗剤、抗生物質等の難分解性物質を含む被処理物を水熱処理するための中空の処理釜であり、耐圧性と耐温性を備えた鋼製の或いはステンレス製の釜である。この処理釜１１０は、釜の上下に被処理物の投入口１１１と排出口１１２を備え、釜内部には複数の攪拌羽根１１３を回転自在に備えている。なお、処理釜１１０における図中の右方側は、水密・気密式の開閉扉とされ、この扉は、釜内の保守点検時に開閉される。
【００１９】
攪拌羽根１１３は、処理釜１１０の外部のモーター１１４の回転軸から釜内に延び、モーター１１４の回転に伴って処理釜１１０の内部にて回転し、処理釜１１０の内部に投入済みの被処理物を攪拌する。後述するように、処理釜１１０の内部は、高温高圧の水蒸気が導入されて水蒸気で充満されていることから、攪拌羽根１１３は、回転して被処理物を攪拌することで、被処理物を満遍なく水蒸気に接触させつつ、被処理物へのより一律な熱の伝搬を図る。
【００２０】
廃棄物投入系１２０は、処理釜１１０の投入口１１１に繋がる投入経路１２１を廃棄物投入ホッパ１２８に到るまで備え、当該経路に、第１バルブ１２２と第２バルブ１２３とを有し、両バルブの間をバルブ間経路１２４とする。第１、第２の両バルブにはバルブ駆動機器１２５、１２６がそれぞれ装着され、これら開閉機器が制御装置２００の制御を受けて駆動することで、上記両バルブは、開閉する。つまり、後述の水熱処理サイクルに合致したタイミングの被処理物の投入時においては、第１、第２の両バルブは共に開口し、このバルブ状態において、廃棄物投入ホッパ１２８は、被処理物を搬送しつつ、投入口１１１に投入する。そして、水熱処理の継続期間において、両バルブは、通常、閉弁状態とされる。また、薬剤トレイ１２９に貯留済みの後述の薬剤は、水熱処理サイクルに合致したタイミングで投入経路１２１を経由して処理釜１１０に導入されるが、この薬剤導入タイミングおよびその際の両バルブの開閉制御については、後述する。なお、バルブ間経路１２４には、圧力開放弁１２７が装着されており、当該開放弁により、バルブ間経路１２４は大気開放される。この圧力開放弁１２７の駆動状況についても、上記のバルブ制御と関連付けて後述する。
【００２１】
処理物排出系１３０は、排出口１１２に繋がる排出経路１３１を備え、当該経路に排出バルブ１３２を有する。この排出バルブ１３２は、そのバルブ駆動機器１３３が制御装置２００の制御を受けて駆動することで開閉し、被処理物の処理（水熱処理）完了時において開口し、水熱処理の間に亘って閉鎖状態とされる。排出口１１２から排出された処理完了物、即ち後述する堆肥、飼料、燃料等の固形分とそれ以外の水液成分は、処理品回収機器１３４にて外部に搬送される。
【００２２】
水蒸気供給系１４０は、水蒸気供給源１４１と、処理釜１１０に到る蒸気供給管路１４３と、当該管路の開閉バルブ１４４とを備える。水蒸気供給源１４１は、昇温昇圧機器群１４２を備え、当該機器群により、水蒸気を処理釜１１０における水熱処理に適した温度および圧力（例えば、２００℃前後で２ＭＰａ程度の圧力）まで加熱および加圧する。こうした水蒸気の加熱と加圧を図る昇温昇圧機器群１４２は、ボイラーや蒸気過熱ヒーター、コンプレッサー等から構成される。昇温昇圧機器群１４２は、制御装置２００の制御を受けて駆動することで、上記した高温高圧の水蒸気を生成し、水蒸気供給源１４１は、この高温高圧の水蒸気を、蒸気供給管路１４３を経て処理釜１１０の内部に水熱処理の間に亘って継続して圧送供給する。図１においては、蒸気供給管路１４３は単一管路として図示されているが、処理釜内への均一な水蒸気供給を図るため、本実施例では、蒸気供給管路１４３を分岐配管として、各分岐官の先端から処理釜内に高温高圧の水蒸気を供給している。よって、処理釜１１０の内部は、複数の分岐管のそれぞれに対応する噴出孔から同時に噴出された水蒸気により、速やかに、且つくまなく充満されることになる。
【００２３】
酸素供給系１５０は、酸素ガスボンベ１５１と、ガス噴出ノズル１５２と、ガス管路１５３と、当該管路の開閉バルブ１５４とを備える。酸素ガスボンベ１５１は、上記した処理釜１１０の水熱処理時の内圧より高い圧力で酸素ガスを高圧充填し、制御装置２００の制御を受けて駆動する開閉バルブ１５４の閉弁により、高圧の酸素ガスをガス噴出ノズル１５２に供給する。ガス噴出ノズル１５２は、その噴出口を処理釜１１０の底部に臨ませているので、酸素ガスは、処理釜１１０に貯まった液体成分中に高圧で噴出される。図１においては、処理釜１１０には一つのガス噴出ノズル１５２が装着されているが、ガス管路１５３を分岐配管として、複数のガス噴出ノズル１５２を釜底部に設けて、処理釜１１０に貯まった液体成分中に複数箇所から酸素ガスを噴出するようにすることもできる。なお、酸化型亜臨界処理装置１００は、水熱処理の完了後に処理釜内の水蒸気を大気放出する排出系を備えるが、本発明の要旨と直接関係しないので、その図示および説明は省略する。
【００２４】
この他、酸化型亜臨界処理装置１００は、処理釜１１０の内部温度を検出する三つの釜温度センサー１６１〜１６３を備え、これらのセンサーは制御装置２００に検出信号を出力する。第１の釜温度センサー１６１は、図示するように処理釜１１０の上部内壁に装着され、釜内の上部温度を検出する。第２の釜温度センサー１６２は、処理釜１１０の中央付近の内壁に装着され、釜内の中央付近、即ち釜内の液体成分の液面近傍の温度を検出する。第３の釜温度センサー１６３は、処理釜１１０の底部内壁に装着され、釜内の液体成分の温度（液温）を検出する。
【００２５】
制御装置２００は、本実施例の酸化型亜臨界処理装置１００の制御を統括的に行うものであり、論理演算を実行するＣＰＵやプログラムやデータを記憶したＲＯＭ、データの一時的な読み書きを可能とするＲＡＭ等を有するコンピュータで構成される。そして、制御装置２００は、既述した種々のセンサーからの検出信号を入力し、こうした検出信号や図示しない操作盤からの運転条件設定パラメータに応じて、処理釜１１０のバルブ開閉制御、水蒸気供給系１４０の昇温昇圧機器群１４２や開閉バルブ１４４の駆動制御、酸素供給系１５０の開閉バルブ１５４等の駆動制御、モーター１１４の駆動制御等を実行する。こうした機器制御の様子については後述する。
【００２６】
次に、本実施例の酸化型亜臨界処理装置１００で行う水熱処理プロセスについて説明する。図２はこの水熱処理プロセスの工程を表す工程図である。水熱処理の説明に先立ち、この水熱処理を行うために酸化型亜臨界処理装置１００が実行する処理について説明する。
【００２７】
制御装置２００は、第１の釜温度センサー１６１等のセンサー出力および図示しない釜内圧力センサー出力を入力し、水蒸気供給系１４０における昇温昇圧機器群１４２の運転状態（水蒸気生成量、圧送量、加熱温度等）を制御する。これにより、酸化型亜臨界処理装置１００は、処理釜１１０が安定した温度・圧力（２００℃／２ＭＰａ）の水蒸気で充満されるよう、水蒸気を圧送することが可能となる。そして、この高温高圧の水蒸気圧送は、水熱処理の期間に亘って、定常的に或いは間歇的に継続される。
【００２８】
酸化型亜臨界処理装置１００は、制御装置２００にて上記した機器制御を実行しつつ、図２の水熱処理を行う。この水熱処理プロセスでは、まず、被処理物を廃棄物投入ホッパ１２８に投入する（ステップＳ１００）。被処理物の導入に続き、制御装置２００は、廃棄物投入ホッパ１２８に投入された被処理物を図示しない搬送路にて攪拌しつつ投入経路１２１の上端まで搬送する（ステップＳ１１０）。
【００２９】
制御装置２００は、ステップＳ１１０での搬送に続いて、もしくはこれと並行或いはこれに先だって、第１バルブ１２２と第２バルブ１２３の両バルブを開弁制御し、処理釜１１０に投入口１１１を経て廃棄物投入ホッパ１２８の被処理物を投入する（ステップＳ１２０）。このステップＳ１２０での被処理物投入に続いて、もしくはこれと並行或いは先だって、薬剤トレイ１２９の薬剤を投入経路１２１に導入（初期導入）する（ステップＳ１３０）。導入された薬剤は、被処理物と共に処理釜１１０の内部に導かれることになる。ここで、薬剤の初期導入と、被処理物に含まれる難分解性物質との関係について説明する。
【００３０】
廃棄物投入ホッパ１２８を経て投入される被処理物が、芳香族化合物、洗剤、抗生物質等の難分解性物質を含む被処理物である場合、上記したステップＳ１３０では、被処理物に含まれる難分解性物質の酸化の誘因となる薬剤、例えば過酸化水素水を薬剤トレイ１２９に準備し、これを、投入経路１２１に導入する。この薬剤の初期導入の際の薬剤量は、後述の薬剤継続投入工程での追加投入を考慮して、難分解性物質の含有量やその性状から決定すればよい。本実施例では、例えば、今回の水熱処理に処される被処理物に含まれると予想される難分解性物質の総含有量の数％程度の液量の過酸化水素水を初期導入することとした。被処理物が難分解性物質をほとんど含有しない残滓等の有機性被処理物である場合には、ステップＳ１３０の薬剤投入をスキップすることができる。例えば、制御装置２００に付属の操作盤に、被処理物の選択スイッチを設け、難分解性物質非含有の被処理物選択時には、ステップＳ１３０を省略し、難分解性物質含有の被処理物選択時には、ステップＳ１３０を実行するようにすることもできる。また、難分解性物質の種別（性質）や含有量についても選択スイッチを設け、そのスイッチ操作により、薬剤の初期導入液量を決定するようにすることもできる。
【００３１】
制御装置２００は、被処理物投入および薬剤初期投入に続いて、第１バルブ１２２と第２バルブ１２３の両バルブを閉弁制御した後、水蒸気供給系１４０における開閉バルブ１４４を開弁制御する。これにより、処理釜１１０には、昇温昇圧機器群１４２で生成した高温高圧（２００℃／２ＭＰａ）の水蒸気が導入されるので、制御装置２００は、処理釜内の攪拌羽根１１３をモーター１１４にて回転させて、投入済みの被処理物を高温高圧の水蒸気存在下で攪拌する（ステップＳ１４０）。こうした高温高圧の水蒸気導入により、処理釜１１０の内部では、投入済みの被処理物が高温高圧の水蒸気に触れ、水蒸気の持つ熱が被処理物の水熱処理に処される状態となる。そして、攪拌羽根１１３による被処理物攪拌により、投入済みの被処理物を満遍なく高温高圧の水蒸気に接触させつつ、被処理物へのより一律な熱の伝搬を図り、水熱処理を進行させる。しかも、こうして攪拌される処理釜１１０の内部の被処理物は、ステップＳ１３０により初期導入された薬剤の存在下で、当初から上記した水熱処理に処されることになる。初期導入された薬剤は、難分解性物質の酸化の誘因となる性質を有することから、難分解性物質は、水熱処理による分解に加え、酸化による分解にも、処理当初から処されることになる。
【００３２】
こうして高温高圧の水蒸気導入と被処理物の攪拌とを伴う水熱処理が開始されると、制御装置２００は、水熱処理が完了したか否かを判定し（ステップＳ１５０）、完了判定するまで、高温高圧の水蒸気導入と被処理物の攪拌を継続する。この判定は、例えば、投入した被処理物の全てが分解されたと実験的、或いは経験的に得られた時間が経過することで下すことができる。或いは、水熱処理による被処理物の分解が完了すれば、釜内の温度は、導入された水蒸気の温度に平衡化することから、釜内の既述した温度センサーの検出温度に基づいて、ステップＳ１５０で水熱処理完了を判定するようにすることもできる。
【００３３】
被処理物の水熱処理が完了すると、制御装置２００は、水蒸気供給系１４０における開閉バルブ１４４の閉弁制御とモーター１１４の停止制御を行った後、処理釜１１０の内部の残存水蒸気を外気放出し（ステップＳ１６０）、処理釜１１０の冷却を待機する（ステップＳ１７０）。処理釜１１０の冷却後に、制御装置２００は、処理物排出系１３０における排出バルブ１３２を開弁制御して排出口１１２を開放し、処理完了物（水液成分と固形成分）を処理釜１１０から処理品回収機器１３４に排出する（ステップＳ１８０）。処理完了物が排出されると、制御装置２００は、排出バルブ１３２を閉弁制御して排出口１１２を閉鎖し、次回の水熱処理に備える。
【００３４】
制御装置２００は、上記した水熱処理の実行期間において、薬剤の継続投入と酸素ガス補給とを実行する。図３は薬剤の継続導入処理を示すフローチャートである。図３の薬剤継続導入処理は、所定時間ごと、例えば、数分から十数分ごとに制御装置２００にて繰り返し実行される。
【００３５】
図３の薬剤継続導入処理では、まず、第１〜第３の釜温度センサー１６１〜１６３の検出値を入力し（ステップＳ２００）、そのセンサー検出値に基づいて、薬剤の追加導入の要否を判定する（ステップＳ２１０）。既述したように難分解性物質を含有する被処理物を処理する場合、その難分解性物質の分解は、ステップＳ１３０（図２参照）での薬剤初期導入に伴う酸化による分解により、薬剤導入が無い場合より進行する。本実施例では、ステップＳ１３０の初期導入の際に、一度に薬剤を導入することなく、図３のステップＳ２１０での判定により追加導入するように構成した。
【００３６】
つまり、ステップＳ２１０では、第１〜第３の釜温度センサー１６１〜１６３からのセンサー検出値により、処理釜１１０での水熱処理の進行状況を推測し、センサー検出値により水熱処理が緩慢と予想されるタイミング、或いは、水熱処理がほぼ平衡化していると予想されるタイミングで薬剤の追加導入を図ることにした。なお、センサー検出値に基づいた薬剤導入タイミングの決定に代え、水処理経過時間により薬剤導入タイミングを決定することもできる。
【００３７】
ステップＳ２１０にて、センサー検出値により薬剤の追加導入タイミングではないと否定判定すると、それ以降の処理をすることなく、一旦、本ルーチンを終了する。その一方、センサー検出値により薬剤の追加導入タイミングであると肯定判定すると、薬剤の継続導入処理に移行する（ステップＳ２２０）。
【００３８】
ステップＳ２２０の薬剤継続導入処理では、制御装置２００は、まず、第１バルブ１２２を閉弁制御すると共に、第２バルブ１２３については、これを開弁制御する（ステップＳ２２２）。これにより、投入経路１２１における両バルブ間のバルブ間経路１２４は、処理釜１１０の側が経路閉鎖とされ、処理釜１１０の釜内状況（高温高圧状況）から遮断された上、経路末端の投入側では経路解放となる。次いで、制御装置２００は、このバルブ間経路１２４に薬剤トレイ１２９から薬剤を追加導入し（ステップＳ２２４）、薬剤をバルブ間経路１２４に一時的に貯め置く。本実施例では、この薬剤追加導入を次のようにした。図４は薬剤の継続投入の様子を説明するための説明図である。
【００３９】
処理釜１１０に投入された被処理物に含まれる難分解性物質をその酸化を経て分解する場合、図４に示すように、難分解性物質の含有量が多いほど、酸化の誘因となる薬剤の必要液量は、概ね増えることになる。よって、本実施例では、難分解性物質の含有量の増加に伴ってほぼ一律に、或いは段階的に追加薬剤の液量（総液量）を増やすことにし、この総液量を薬剤追加導入回数で等分した液量の薬剤を、ステップＳ２２４において薬剤トレイ１２９からバルブ間経路１２４に導入するようにした。この場合、薬剤追加導入回数は、実験的或いは経験的に定めることができるほか、予め定めた所定回数に設定することもできる。
【００４０】
バルブ間経路１２４への薬剤の追加導入が完了すると、制御装置２００は、それまで開弁していた第２バルブ１２３を閉弁制御すると共に、これに続いて、それまで閉弁していた第１バルブ１２２を開弁制御する（ステップＳ２２６）。これにより、バルブ間経路１２４は、第２バルブ１２３にて経路末端側で閉鎖された状態で、処理釜１１０と繋がることになるので、バルブ間経路１２４には、釜内の高温高圧の水蒸気が入り込む。よって、バルブ間経路１２４に貯め置かれていた薬剤（追加導入薬剤）は、バルブ間経路１２４に入り込んだ高温高圧の水蒸気に拡散し、処理釜１１０の内部で攪拌されつつある被処理物に触れることになる。しかも、この際、上記した手順でのバルブ開閉により、処理釜１１０の水蒸気を投入経路１２１を経て釜外に出さないので、処理釜１１０の内圧低下を抑制した上で、処理釜１１０の内部に薬剤を確実に導入できる。なお、制御装置２００は、薬剤トレイ１２９の駆動完了信号等からバルブ間経路１２４への薬剤追加導入の完了を検知でき、ステップＳ２２６のバルブ制御をシーケンシャルに支障なく実行できる。
【００４１】
ステップＳ２２６に続き、制御装置２００は、第１バルブ１２２を閉弁制御すると共に、第２バルブ１２３については、閉弁制御を継続する（ステップＳ２２８）。これにより、バルブ間経路１２４は、改めて処理釜１１０の釜内状況（高温高圧状況）から遮断される。次いで、制御装置２００は、圧力開放弁１２７を大気解放側に駆動制御して（ステップＳ２３０）、処理釜１１０の釜内状況（高温高圧状況）から遮断済みのバルブ間経路１２４を大気圧下とする。これにより、次回の薬剤継続導入の準備が整う。
【００４２】
次に、酸素ガス補給処理について説明する。図５は酸素ガス補給処理を示すフローチャートである。図５の酸素ガス補給処理にあっては、処理釜１１０での水熱処理の進行に伴って消費された酸素を補給するものであることから、図２で説明した水熱処理が開始してから所定時間、例えば十数分から二十数分経過後に開始され、その後、所定時間ごと、例えば、数分から十数分ごとに制御装置２００にて繰り返し実行される。
【００４３】
図５の酸素ガス補給処理では、まず、第１〜第３の釜温度センサー１６１〜１６３の検出値を入力し（ステップＳ３００）、そのセンサー検出値に基づいて、酸素補給の要否を判定する（ステップＳ３１０）。既述したように難分解性物質を含有する被処理物を処理する場合、その難分解性物質の分解は、ステップＳ１３０（図２参照）での薬剤初期導入や図３で説明した薬剤の追加導入に伴う酸化による分解により進行し、分解が進行するほど、多くの酸素が酸化に消費される。これにより、処理釜１１０の液体成分は、液中の酸素が不足した嫌気状態となりがちとなり、固形成分にあってもその物理的な隙間に入り込む酸素は減る。その一方、第１〜第３の釜温度センサー１６１〜１６３からのセンサー検出値により、処理釜１１０での水熱処理や酸化の進行状況を推測し、センサー検出値により液体成分が嫌気状態に推移したと予想されるタイミングで酸素補給を図ることにした。なお、センサー検出値に基づいた酸素補給タイミングの決定に代え、水処理経過時間により酸素補給タイミングを決定することもできる。
【００４４】
ステップＳ３１０にて、センサー検出値により酸素補給タイミングではないと否定判定すると、それ以降の処理をすることなく、一旦、本ルーチンを終了する。その一方、センサー検出値により酸素補給タイミングであると肯定判定すると、制御装置２００は、酸素供給系１５０における酸素ガスボンベ１５１のガス放出制御と開閉バルブ１５４の開弁制御とを行い（ステップＳ３２０）、処理釜１１０の液体成分中に、ガス噴出ノズル１５２から酸素を噴出する。これにより、酸素ガスは、処理釜１１０に貯まった液体成分中に高圧で噴出され、ガス中の酸素が液体成分に溶解して、液体成分を好気状態とすることができる。また、固形成分にあってもその物理的な隙間に酸素が入り込んだ酸素過多とできる。なお、ステップＳ３２０での酸素ガス噴射（酸素補給）は、投入された被処理物の総重量等に応じて予め定めた所定期間、例えば、数分程度に亘って継続され、その後、ボンベ閉鎖、バルブ閉弁を経て、本ルーチンを終了する。
【００４５】
以上説明した本実施例の酸化型亜臨界処理装置１００では、難分解性物質を含有することのある被処理物を分解するに当たり、その被処理物を中空の処理釜１１０に投入し、この処理釜１１０の内部に、加熱および加圧済みの高温高圧水蒸気を圧送しつつ、投入済み被処理物を水蒸気導入済みの処理釜１１０で攪拌して水熱処理に処する。これにより、処理釜１１０に投入済みの被処理物は、処理釜１１０の内部で攪拌されつつ、その攪拌の過程で高温高圧の水蒸気に満遍なく触れ、水蒸気の持つ熱と水成分とが被処理物の水熱処理に利用され、水熱処理は進行する。
【００４６】
以上説明したように、本実施例の酸化型亜臨界処理装置１００では、高温高圧の水蒸気による水熱処理の実行に際し、被処理物の酸化の誘因となり得る薬剤（本実施例では過酸化水素水）を処理釜１１０の内部に導入する（ステップＳ１３０、ステップＳ２２０）。このため、処理釜１１０内の被処理物は、この薬剤の存在下で水熱処理に処されることになるので、被処理物は、水蒸気の水成分と熱を利用した水熱処理に伴う分解に加え、薬剤が誘因となって起こる酸化分解をも受けることになり、その分解が促進される。特に、釜内環境が高温高圧であることから、導入薬剤により誘発される酸化分解は、活発に進行することになる。この結果、本実施例の酸化型亜臨界処理装置１００によれば、被処理物の分解をなす水熱処理の処理期間を短縮化できる。また、被処理物に含有されることのある芳香族化合物や抗生物質等の難分解性物質についても、酸化分解によりその分解を図ることができるので、水熱処理の対象物が多様化し、汎用性も高まる。
【００４７】
図２のステップＳ１３０（薬剤初期導入）と図３の薬剤継続導入処理とを省略して水熱処理を行った場合と、上記の本実施例の酸化型亜臨界処理装置１００による水処理を行った場合とで、同一の被処理物（芳香族化合物含有の被処理物）の分解に要する時間を比較したところ、処理時間の短縮化を図ることが確認された。
【００４８】
また、本実施例の酸化型亜臨界処理装置１００では、水熱処理の実行中に行う薬剤の継続導入を行うに当たり、投入経路１２１に設けた第１バルブ１２２と第２バルブ１２３の両バルブのシーケンシャル制御を行うことで（ステップＳ２２２〜２２８）、処理釜１１０の内圧低下が起きないようにした。このため、薬剤の継続導入の都度において、処理釜１１０を高圧環境に維持したままとできるので、内圧低下に伴う水熱処理の進行を阻害しないことから、水熱処理の処理期間を高い実効性で短縮化できる。
【００４９】
上記したように薬剤の継続導入を図るに当たり、本実施例の酸化型亜臨界処理装置１００では、難分解性物質の含有量が多いほど薬剤の継続導入の総量を増やすことにしたので、難分解性物質の酸化分解の実効性も高まり、水熱処理時間の短縮化に有益である。この場合、難分解性物質の物性（分解の難易度）に応じて薬剤の継続導入の総量を増やすようにすることもできる。
【００５０】
しかも、本実施例の酸化型亜臨界処理装置１００では、上記したバルブのシーケンシャル制御を経て薬剤を処理釜１１０に継続導入を図るに当たり、薬剤を処理釜１１０の高圧環境から遮断されたバルブ間経路１２４に一旦留め置く。そして、その後に、バルブ間経路１２４を処理釜１１０に対して解放して、バルブ間経路１２４に処理釜１１０の高温高圧の水蒸気を入り込ませ、この入り込んだ水蒸気に薬剤を拡散して、薬剤を微細な水滴様の形態で処理釜１１０の内部に隅々まで行き渡らせる。よって、導入された薬剤が処理釜１１０の被処理物に満遍なく触れることになり、酸化分解の進行の促進に寄与し、水熱処理の処理期間の短縮化の実効性をより一層高めることができる。しかも、被処理物の投入口１１１に繋がる投入経路１２１を、被処理物の投入と薬剤の導入とに共用できることから、薬剤の導入に特化した経路が不要となり、構成の簡略化、延いてはコスト低減を図ることができる。
【００５１】
また、本実施例の酸化型亜臨界処理装置１００では、第１〜第３の釜温度センサー１６１〜１６３からのセンサー検出値により、処理釜１１０での水熱処理の進行状況を推測し、センサー検出値により水熱処理が緩慢と予想されるタイミング、或いは、水熱処理がほぼ平衡化していると予想されるタイミングで薬剤の追加導入を図ることにした。このため、水熱処理が緩慢と予想されるタイミングで薬剤を導入して処理の活性化を図ったり、水熱処理がほぼ平衡化していると予想されるタイミングで薬剤を導入して処理の活性化をより高めたりできるので、水熱処理の処理期間の短縮化の実効性を高めることができる。
【００５２】
また、本実施例の酸化型亜臨界処理装置１００では、図２に示す水熱処理の処理期間において、処理釜１１０に貯まった液体成分中に、酸素供給系１５０から酸素ガスを加圧導入する（ステップＳ３２０）。このため、水熱処理や酸化処理の進行に伴い処理釜１１０の液体成分が液中の酸素不足の嫌気状態となっても、上記各処理の進行に伴い不足した酸素をこうした処理が進行している液体成分に直接補給して、液体成分を好気状態とできる。また、固形成分にあってもその物理的な隙間に酸素が入り込んだ酸素過多とできる。よって、本実施例の酸化型亜臨界処理装置１００によれば、被処理物の酸化分解の促進により、水熱処理の処理期間の短縮化をより高い実効性で達成できる。この場合、処理釜１１０は高温高圧の水蒸気の充満環境であることから、上記したように好気状態の液体成分や酸素過多の固形成分は、処理完了後において、処理釜１１０からほぼ無菌の状態で回収される。このため、処理釜からの回収後において、好気状態の液体成分や酸素過多の固形成分への菌（好気状態や酸素過多で発酵を活性化させる菌）の付着により、処理品回収機器１３４での回収作業中の発酵分解の促進を図ることができ、これによっても被処理物（詳しくは、回収後の液体・固形成分）の分解を進めることが可能となる。そして、処理品回収機器１３４において、その回収した固形成分と液体成分に、好気状態や酸素過多で発酵を活性化させる菌を付着するようにすれば、より確実に、回収作業中の発酵分解を促進させることで、被処理物（詳しくは、回収後の液体・固形成分）の分解を進めることができる。
【００５３】
しかも、こうした酸素導入を、水熱処理を開始してから所定時間の経過後に開始したので、液体成分が嫌気状態に到っていないと予想される水熱処理の開始当初においては、酸素導入を実施しない。よって、不用意な酸素導入を行わないようにできる。
【００５４】
以上本発明の実施例について説明したが、本発明は上記の実施例や実施形態になんら限定されるものではなく、本発明の要旨を逸脱しない範囲において種々なる態様で実施し得ることは勿論である。例えば、上記の実施例では、ラジカルな水酸基を含む過酸化水素水を酸化誘因の薬剤として用いたが、ラジカルな水酸基或いはラジカルな他の官能基を含む薬剤を用いるようにすることもできる。
【００５５】
また、上記の実施例では、被処理物が難分解性物質を含有することを想定したが、次のようにすることもできる。例えば、既述したように、制御装置２００に付属の操作盤に、被処理物の選択スイッチを設け、難分解性物質含有の被処理物処理（第１処理）と、難分解性物質の非含有の被処理物処理（第２処理）とを選択可能にする。その上で、第１処理であれば、図３や図５で説明した薬剤継続導入や酸素補給を行い、第２処理であれば、これら処理を省略するようにする。こうすれば、被処理物の性状に応じて、処理の簡便化を図ることができる。
【００５６】
また、上記実施例の酸化型亜臨界処理装置１００では、薬剤継続導入と酸素補給を制御装置２００によるバルブ制御を経て実行するようにしたが、例えば、ステップＳ２１０において薬剤追加導入が必要と判断した場合に、処理従事者にその旨を報知して、いわゆるマニュアル操作にて薬剤追加導入を図るようにすることもできる。この場合には、第２バルブ１２３についてその開閉をマニュアル操作することになる。酸素補給の場合は、ステップＳ３１０において酸素が必要と判断した場合に、処理従事者にその旨を報知して、マニュアル操作にて酸素ガスボンベ１５１のガス放出と開閉バルブ１５４の開閉弁操作を行うことになる。
【符号の説明】
【００５７】
１００…酸化型亜臨界処理装置
１１０…処理釜
１１１…投入口
１１２…排出口
１１３…攪拌羽根
１１４…モーター
１２０…廃棄物投入系
１２１…投入経路
１２２…第１バルブ
１２３…第２バルブ
１２４…バルブ間経路
１２５…バルブ駆動機器
１２７…圧力開放弁
１２８…廃棄物投入ホッパ
１２９…薬剤トレイ
１３０…処理物排出系
１３１…排出経路
１３２…排出バルブ
１３３…バルブ駆動機器
１３４…処理品回収機器
１４０…水蒸気供給系
１４１…水蒸気供給源
１４２…昇温昇圧機器群
１４３…蒸気供給管路
１４４…開閉バルブ
１５０…酸素供給系
１５１…酸素ガスボンベ
１５２…ガス噴出ノズル
１５３…ガス管路
１５４…開閉バルブ
１６１〜１６３…第１〜第３の釜温度センサー
２００…制御装置
【図１】
0005537244.tif 000002
【図２】
0005537244.tif 000003
【図３】
0005537244.tif 000004
【図４】
0005537244.tif 000005
【図５】
0005537244.tif 000006